(57)【要約】【課題】把持部材を持ち替えることなくハイアングル撮影とローアングル撮影とを切り替えることが可能な撮像装置、およびこの撮像装置に用いられる把持部材を提供する。【解決手段】特定部を含む把持部材と、前記把持部材が変位可能に接続される本体とを備え、前記把持部材は前記本体に対し、前記特定部が前記本体の下方に位置する第１の姿勢と、前記特定部が前記本体の上方に位置する第２の姿勢とを含んで変位する撮像装置。【選択図】図２
2015207886.tif 000002
【特許請求の範囲】
【請求項１】
特定部を有する把持部材と、
前記把持部材が変位可能に接続される本体と
を備え、
前記把持部材は前記本体に対し、前記特定部が前記本体の下方に位置する第１の姿勢と、前記特定部が前記本体の上方に位置する第２の姿勢とを含んで変位する
撮像装置。
【請求項２】
前記特定部は使用者が把持する把手である
請求項１記載の撮像装置。
【請求項３】
前記特定部は操作部を含む
請求項１記載の撮像装置。
【請求項４】
前記第１の姿勢において前記操作部が前記本体に最も近接する
請求項３記載の撮像装置。
【請求項５】
前記把持部材は前記本体に対して着脱自在に接続される
請求項１記載の撮像装置。
【請求項６】
前記把持部材は、閉ループ形状を有している
請求項１記載の撮像装置。
【請求項７】
前記把持部材は前記本体に対し、前記把持部材の前記本体への接続方向に平行な回転軸を中心とした回転変位が可能である
請求項２記載の撮像装置。
【請求項８】
前記本体は撮像素子を有し、
前記把持部材は前記本体に対し、前記撮像素子の向く方向および前記撮像素子の短辺方向を含む平面内の変位が可能である
請求項７記載の撮像装置。
【請求項９】
前記把持部材は前記本体に対し、前記撮像素子の向く方向および前記撮像素子の短辺方向を含む平面内の軌道上の往復変位が可能である
請求項７記載の撮像装置。
【請求項１０】
前記軌道は、円弧である
請求項９記載の撮像装置。
【請求項１１】
前記把持部材は、前記軌道の形状を有する可動部を更に有し、
前記把手は前記可動部に連結されている
請求項９記載の撮像装置。
【請求項１２】
前記操作部は、前記把手の一端部に設けられている
請求項３記載の撮像装置。
【請求項１３】
前記操作部は、前記本体と無線接続可能である
請求項３記載の撮像装置。
【請求項１４】
前記本体に対して着脱可能な取付部材と、
前記取付部材に対して前記回転軸を中心として回転可能に連結され、前記把持部材を保持して前記取付部材に対して前記回転軸を中心として回転可能な受け部材と
を更に備えた請求項９記載の撮像装置。
【請求項１５】
前記把持部材は、前記軌道を規定するガイド溝および前記ガイド溝に嵌り込むガイド突起のうちの一方を有し、
前記受け部材は、前記ガイド溝および前記ガイド突起のうちの他方を有する
請求項１４記載の撮像装置。
【請求項１６】
表示部材を更に備えた
請求項１記載の撮像装置。
【請求項１７】
前記表示部材は、前記本体と無線接続可能である
請求項１６記載の撮像装置。
【請求項１８】
前記本体は、撮像素子および画像処理部を有する
請求項１記載の撮像装置。
【請求項１９】
撮像装置の本体に変位可能に接続されると共に特定部を含み、
前記本体に対し、前記特定部が前記本体の下方に位置する第１の姿勢と、前記特定部が前記本体の上方に位置する第２の姿勢とを含んで変位する
把持部材。
【発明の詳細な説明】
【技術分野】
【０００１】
本開示は、撮像装置、およびこの撮像装置に用いられる把持部材に関する。
【背景技術】
【０００２】
撮像装置では、カメラ本体を手で持って撮影するものもあるが、カメラ本体に取り付けられたグリップ（把持部材）を持って撮影するものもある。後者の例として、カメラ本体に１／４円弧状のグリップを取り付け、ビデオカメラをカメラマンの肩上でチルト動作しやすくしたものが提案されている（例えば、特許文献１ないし３参照。）。
【先行技術文献】
【特許文献】
【０００３】
【特許文献１】特開平１１−８８７３６号公報
【特許文献２】特開平１１−８８７３７号公報
【特許文献３】特開平１１−８８７３８号公報
【発明の概要】
【発明が解決しようとする課題】
【０００４】
しかしながら、特許文献１ないし３に記載されたビデオカメラでは、ハイアングル撮影とローアングル撮影とを切り替える際にグリップから一旦手を離し、改めて持ち替えており、使いやすさの観点で改善の余地があった。
【０００５】
本開示はかかる問題点に鑑みてなされたもので、その目的は、把持部材を持ち替えることなくハイアングル撮影とローアングル撮影とを切り替えることが可能な撮像装置、およびこの撮像装置に用いられる把持部材を提供することにある。
【課題を解決するための手段】
【０００６】
本開示による撮像装置は、特定部を含む把持部材と、把持部材に変位可能に接続される本体とを備え、把持部材は本体に対し、特定部が本体の下方に位置する第１の姿勢と、特定部が本体の上方に位置する第２の姿勢とを含んで変位するものである。
【０００７】
本開示による把持部材は、撮像装置の本体に変位可能に接続されると共に特定部を含み、本体に対し、特定部が本体の下方に位置する第１の姿勢と、特定部が本体の上方に位置する第２の姿勢とを含んで変位するものである。
【０００８】
ここにいう「特定部」は、把持部材の任意の部分または位置であってよく、特に限定されないが、例えば使用者が把持する把手である。特定部は、例えば操作部を含むことが好ましい。
【０００９】
本開示の撮像装置、または本開示の把持部材では、把持部材が本体に対し、特定部が本体の下方に位置する第１の姿勢と、特定部が本体の上方に位置する第２の姿勢とを含んで変位する。第１の姿勢ではハイアングル撮影が可能となり、第２の姿勢ではローアングル撮影が可能となる。
【発明の効果】
【００１０】
本開示の撮像装置、または本開示の把持部材によれば、把持部材を本体に対して、特定部が本体の下方に位置する第１の姿勢と、特定部が本体の上方に位置する第２の姿勢とを含んで変位させるようにしている。よって、把持部材を持ち替えることなくハイアングル撮影とローアングル撮影とを切り替えることが可能となる。
【００１１】
なお、ここに記載された効果は必ずしも限定されるものではなく、本開示中に記載されたいずれの効果であってもよい。
【図面の簡単な説明】
【００１２】
【図１】本開示の一実施の形態に係る撮像装置の全体構成を概略的に表す機能ブロック図である。
【図２】図１に示した本体、把持部材およびレンズを後方側から見た外観を表す斜視図である。
【図３】図１に示した本体、把持部材およびレンズを前方から見た外観を表す斜視図である。
【図４】図１に示した本体、把持部材およびレンズの側面図である。
【図５】図４に示した把持部材の第１の姿勢を表す側面図である。
【図６】図４に示した把持部材の第２の姿勢を表す側面図である。
【図７】図５に示した第１の姿勢でのハイアングル撮影時の使用状態を説明するための側面図である。
【図８】図６に示した第２の姿勢でのローアングル撮影時の使用状態を説明するための側面図である。
【図９】図２に示した本体、取付部材および受け部材を一部分解して表す斜視図である。
【図１０】図１に示したビューワーの外観を表す斜視図である。
【図１１】図４に示した把持部材の往復変位を説明するための側面図であり、把持部材の可動部の一端が受け部材に保持されている場合を表す側面図である。
【図１２】把持部材の可動部の他端が受け部材に保持されている場合を表す側面図である。
【図１３】図１２に示した把持部材の回転変位を説明するための側面図である。
【発明を実施するための形態】
【００１３】
以下、本開示の実施の形態について図面を参照して詳細に説明する。
【００１４】
図１は、本開示の一実施の形態に係る撮像装置の全体構成を概略的に表したものである。この撮像装置１は、システムアップを前提として本体１０付属の表示部（ディスプレイ）を持たないデジタルカメラであり、例えば、本体１０、把持部材（グリップ）２０、レンズ３０およびビューワー４０を有している。
【００１５】
本体１０は、例えば、マウント部１１と、撮像素子１２と、画像処理部１３とを有している。マウント部１１は、本体１０とレンズ３０との機械的または電気的な接続を行うものである。撮像素子１２は、レンズ３０を通して被写体像を受光面に結像させて光電変換により電気信号を生成するものであり、例えばＣＭＯＳ（Complementary Metal Oxide Semiconductor）イメージセンサにより構成されている。画像処理部１３は、撮像素子１２で取得された電気信号または使用者からの指示に基づいて画像処理を行い、画像データを生成するものである。
【００１６】
把持部材２０は、本体１０に取り付けて使用者が手で握ることにより本体１０を保持しやすくして撮影を補助するものである。また、把持部材２０は、本体１０に対して着脱自在に接続されると共に、後述する操作部２１を有しており、把持部材２０を本体１０とは独立したリモートコントローラとして使用することも可能となっている。また、把持部材２０には通信部２２が設けられている。把持部材２０の操作部２１と本体１０とは、通信部２２を通じて、例えば近距離通信ＮＦＣにより無線通信可能であることが好ましい。そのため、把持部材２０および本体１０には、使用者が把持部材２０を本体１０にかざすことにより近距離通信ＮＦＣの接続を確立するための標識が適当な位置に設けられていることが好ましい。
【００１７】
レンズ３０は、例えば、本体１０のマウント部１１に接続された交換式のレンズであり、使用者は用途に合わせてレンズ３０を選択可能となっている。
【００１８】
ビューワー４０は、本体１０の画像処理部１３で生成された画像データを表示するものであり、例えば、本体１０とは別のアクセサリーとして、使用者が頭部に装着して使用するよう構成された片目用のＥＶＦ（電子ビューファインダー）である。ビューワー４０は本開示における「表示部材」の一具体例に対応する。
【００１９】
ビューワー４０は、例えば、通信部４１および表示部４２を有している。ビューワー４０の通信部４１と本体１０とは、例えば近距離通信ＮＦＣにより無線通信可能であることが好ましい。そのため、ビューワー４０および本体１０には、使用者がビューワー４０を本体１０にかざすことにより近距離通信ＮＦＣの接続を確立するための標識が適当な位置に設けられていることが好ましい。更に、ビューワー４０の通信部４１は、映像信号または音声信号の送受信が可能であり、本体１０で生成された画像データを受信するほか、電源オン・オフやモード切替などに関する使用者の口頭での指示を音声認識して本体１０に伝達可能であることが好ましい。表示部４２は、撮影中のモニター画像や再生画像、ＧＵＩ（グラフィカル・ユーザー・インターフェース）画像等を表示可能なインターフェース機能を有し、例えば液晶表示パネルまたは有機ＥＬ（Electroluminescence）パネルにより構成されている。また、表示部４２は、使用者の視線検出を行って検出結果を通信部４１に供給し、通信部４１は供給された検出結果を使用者の指示として本体１０に送信可能であることが好ましい。
【００２０】
図２および図３は、図１に示した本体１０、把持部材２０およびレンズ３０を後方（本体１０側、使用者側）および前方（レンズ３０側、被写体側）から見た外観をそれぞれ表したものである。図４は、本体１０、把持部材２０およびレンズ３０を右側方から見た外観を表したものである。本体１０の前面１０Ａには、レンズ３０が接続されている。本体１０の上面１０Ｂには、把持部材２０が取付部材５０および受け部材６０により接続されている。
【００２１】
図２以降の図面および以下の説明において、本体１０の前後方向Ｚにおいてレンズ３０側（被写体側）を前方とし、本体１０側（像側または撮像素子１２側）を後方とする。前後方向Ｚは、レンズ３０の光軸Ａ１の方向と同じである。本体１０の左右方向をＸ方向とし、左右は本体１０の後方から見て表す。本体１０の天地方向をＹ方向とする。本体１０を天地方向Ｙの正立状態とすると、上面１０Ｂが天に、下面１０Ｃが地に向く。本体１０を天地方向Ｙの倒立状態とすると、上面１０Ｂが地に、下面１０Ｃが天に向く。本実施の形態では本体１０の上面１０Ｂに把持部材２０が接続されているので、天地方向Ｙは、把持部材２０の本体１０への接続方向Ａ２と同じである。
【００２２】
本体１０は、例えば直方体の形状を有しており、前面１０Ａにマウント部１１（図２ないし図４には図示せず、図１参照。）が設けられ、内部に撮像素子１２および画像処理部１３（図２ないし図４には図示せず、図１参照。）が収納されている。なお、図２および図４に示したように、撮像素子１２は長方形の平面形状を有しており、本体１０内に横長に、つまり長辺を横、短辺を縦にして配置されている。つまり、左右方向Ｘは撮像素子１２の長辺方向であり、天地方向Ｙは撮像素子１２の短辺方向である。また、前後方向Ｚすなわちレンズ３０の光軸Ａ１の方向は、撮像素子１２が向く方向と同じである。
【００２３】
本体１０は、把持部材２０その他のさまざまなアクセサリーを接続可能である。本体１０の上面１０Ｂ、下面１０Ｃ、右側面１０Ｄおよび左側面１０Ｅには、アクセサリーを取り付けるためのアタッチメントを接続可能なねじ孔１０Ｆが設けられており、撮影に必要な要素を付加できる拡張性を持っている。ねじ孔１０Ｆは、例えば上面１０Ｂ、下面１０Ｃ、右側面１０Ｄおよび左側面１０Ｅのそれぞれに三つずつ設けられている。図２および図４では右側面１０Ｄのねじ孔１０Ｆのみが示され、図３では左側面１０Ｅのねじ孔１０Ｆのみが示されている。本体１０の後面１０Ｇには、図２に示したように、把持部材２０またはビューワー４０との間で上述した近距離通信ＮＦＣの接続を確立するための標識Ｍが設けられていることが好ましい。
【００２４】
把持部材２０は、例えば、可動部２３と把手２４とからなるおよそ半月状の形状を有している。可動部２３は、後述する把持部材２０の本体１０に対する変位を可能とする部分であり、取付部材５０および受け部材６０を介して本体１０に着脱自在に接続されるようになっている。把手２４は、使用者が把持する部分であり、可動部２３に連結されている。把手２４は、本開示における「特定部」の一具体例に対応する。
【００２５】
把持部材２０は、閉ループ形状を有していることが好ましい。換言すれば、把手２４の両端が可動部２３の両端にそれぞれ連結され、可動部２３と把手２４とが途切れなく連続していることが好ましい。これにより、把持部材２０が半月形のリング状となり、使用者が把持部材２０を本体１０から外して手に掛けた場合に把持部材２０が落下しにくくなる。
【００２６】
把持部材２０は、図５に示した第１の姿勢Ｐ１と図６に示した第２の姿勢Ｐ２とを含んで変位する。図５に示した第１の姿勢Ｐ１では、把手２４が本体１０の下方に位置する。この第１の姿勢Ｐ１では、図７に示したように本体１０を天地方向Ｙの倒立状態として把持部材２０の把手２４を右手で持つことにより、ハイアングル撮影が可能となる。図６に示した第２の姿勢Ｐ２では、把手２４が本体１０の上方に位置する。この第２の姿勢Ｐ２では、図８に示したように本体１０を天地方向Ｙの正立状態として、ローアングル撮影が可能となる。これにより、この撮像装置１では、把持部材２０を持ち替えることなくハイアングル撮影とローアングル撮影とを切り替えることが可能となっている。
【００２７】
ここで、ハイアングル撮影とローアングル撮影とでは、本体１０の天地が反対になるので、そのままでは上下が逆転した画像が記録または表示される。よって、本体１０の画像処理部１３は、ハイアングル撮影・ローアングル撮影のどちらかの場合には、撮影画像を上下反転する制御を行うことが好ましい。
【００２８】
把手２４は、操作部２１を有していることが好ましい。具体的には、操作部２１は、把手２４の一端部に設けられていることが好ましい。これにより、使用者が把持部材２０の把手２４を手で握ったまま容易に操作部２１を操作することが可能となる。上述したビューワー４０を併用すれば、使用者は片手で把持部材２０を握り、ビューワー４０に表示されるモニタ画像を確認しながら操作および撮影が可能となり、もう片方の手はフリーな状態となる。よって、例えばネイチャーフォト分野において、山岳や水辺など足場の良くない場所での撮影や、無理な体勢での撮影を伴う場合に好適である。
【００２９】
なお、把手２４の他端部には、本体１０との間で上述した近距離通信ＮＦＣの接続を確立するための標識Ｍが設けられていることが好ましい。
【００３０】
操作部２１は、例えば、把手２４の外側にモード設定用の十字キー２１Ａおよび前ダイヤル２１Ｂ、把手２４の内側にシャッターボタン２１Ｃおよびモード設定用の後ろダイヤル２１Ｄを有している。なお、操作部２１に含まれるキー、ダイヤル、ボタン等の構成、機能、配置などは特に限定されないことは言うまでもない。
【００３１】
図５および図７に示した第１の姿勢Ｐ１では、操作部２１が本体１０の後方側に位置していることが好ましい。一方、図６および図８に示した第２の姿勢Ｐ２では、操作部２１が本体１０の前方側に位置していることが好ましい。このようにすれば、第１の姿勢Ｐ１および第２の姿勢Ｐ２のいずれの場合も使用者が把手２４を握る際に逆手にならないので、本体１０およびレンズ３０の重量を支えやすくなり、使用者の負担や疲労も軽減される。
【００３２】
更に、第１の姿勢Ｐ１では、操作部２１が本体１０に最も近接することが好ましい。図７に示したように、使用者は本体１０の直下で把持部材２０の把手２４を握りながら操作部２１を操作することが可能となり、本体１０およびレンズ３０の重量を支えながら操作部２１を操作しやすくなる。
【００３３】
このような把持部材２０は本体１０に対し、前後方向Ｚ（撮像素子１２の向く方向）および天地方向Ｙ（撮像素子１２の短辺方向）を含む平面（図４の紙面に対応する。）内の変位が可能であることが好ましい。具体的には、把持部材２０は本体１０に対し、前後方向Ｚ（撮像素子１２の向く方向）および天地方向Ｙ（撮像素子１２の短辺方向）を含む平面内の軌道Ｌ１上の往復変位が可能であることが好ましい。
【００３４】
軌道Ｌ１は、少なくとも一部に円弧を含むことが好ましい。具体的には、軌道Ｌ１は、例えば円弧（楕円弧を含む）であることが好ましい。これにより、把手２４の本体１０に対する傾き具合を変化させて、把持部材２０を様々な姿勢に変位させることが可能となる
【００３５】
更に、軌道Ｌ１は、半円弧（１／２円弧）であればより好ましい。これにより、把手２４の可動域をより拡大し、広範囲なハイアングル撮影・ローアングル撮影が可能となる。なお、ここにいう円弧または半円弧とは、幾何学的な円弧または半円弧だけでなく、実質的に円弧または半円弧といえる程度のものも含まれる。
【００３６】
また、可動部２３は、このような軌道Ｌ１に応じた形状を有していることが好ましい。
【００３７】
加えて、把持部材２０は、本体１０に対し、接続方向Ａ２に平行な回転軸Ａ３を中心とした回転変位が可能であることが好ましい。これにより、把手２４または操作部２１を本体１０の前方側または後方側に向け変えて、把手２４を握りやすくすることが可能となる。また、このように往復変位と回転変位とを組み合わせることにより、複数の回転軸についてそれぞれ回転機構をもつ複雑な構成を回避し、簡素な構成でスムーズにハイアングル撮影とローアングル撮影との切り替えを行うことが可能となる。
【００３８】
図９は、図２に示した把持部材２０を受け部材６０から取り外し、受け部材６０および取付部材５０を本体１０から取り外した状態を表したものである。取付部材５０は、図９に示したように、円板状の本体５１の底面にねじ５２を有し、このねじ５２により本体１０のねじ孔１０Ｆに対して着脱可能である。取付部材５０の側面には、本体１０への取り付け作業の際の滑り止めとして凹凸５３が設けられていることが好ましい。
【００３９】
受け部材６０は、取付部材５０に対して回転軸Ａ３を中心として回転可能に連結され、把持部材２０を保持して取付部材５０に対して回転軸Ａ３を中心として回転可能である。受け部材６０は、図９に示したように、円柱状の本体６１の上面に、把持部材２０を保持可能な受容部６２を有している。本体６１の下面は、取付部材５０に着脱可能に結合されている。受け部材６０は、時計回り・反時計回りのいずれの方向にも、１８０°または３６０°等の回転角度の上限なく、自由に回転可能であることが好ましい。
【００４０】
把持部材２０は、図２ないし図４に示したように、可動部２３の外側の両側面に、軌道Ｌ１を規定するガイド溝７１を有していることが好ましい。また、受け部材６０は、図９に示したように、受容部６２の内側の両側面に、ガイド溝７１に嵌り込むガイド突起７２を有していることが好ましい。受け部材６０の外側の両側面には、着脱ボタン７３が設けられている。着脱ボタン７３は、把持部材２０を受容部６２に着脱させる際に突起７２を退避させて、突起７２とガイド溝７１との係合を解除するものである。
【００４１】
図１０は、図１に示したビューワー４０の外観を表したものである。ビューワー４０は、例えば、装着バンド４３の一端に、表示部４２（図１参照。）を有するグラストロン４４と、電源スイッチ（図示せず）と、長さ調整部４６とを有している。装着バンド４３の他端には、使用者のこめかみ付近に当たるクッション部４７が設けられている。装着バンド４３の長さ方向中央部には、アンテナ（図示せず）を有する通信部４１（図１参照。）およびバッテリーパック（図示せず）を収容する通信部・バッテリーパック収納部４８が設けられている。
【００４２】
この撮像装置１は、例えば次のように動作する。
【００４３】
図１に示したように、本体１０の画像処理部１３は、撮像素子１２で生成された電気信号を画像処理して画像データを生成する。この画像データは、本体１０から近距離無線通信ＮＦＣによりビューワー４０の通信部４１に送信され、表示部４２に表示される。使用者の口頭での指示は、ビューワー４０の通信部４１において音声認識され、通信部４１から近距離無線通信ＮＦＣにより本体１０に送信される。また、使用者の視線による指示は、表示部４２の視線検出結果として、通信部４１から近距離無線通信ＮＦＣにより本体１０に送信される。把持部材２０の操作部２１を用いた使用者からの指示は、把持部材２０の通信部２２から近距離無線通信ＮＦＣにより本体１０に送信される。
【００４４】
以下、この撮像装置１を用いたハイアングル撮影とローアングル撮影との切り替えについて、図１１ないし図１３、および上述した図５ないし図８を参照して説明する。
【００４５】
まず、図１１および図１２を参照して、把持部材２０の軌道Ｌ１上の往復変位について説明する。この撮像装置１では、把持部材２０を受け部材６０の受容部６２に装着し、把手２４を右手で握り、手首または腕を傾けることにより、可動部２３を容易にガイド溝７１に沿って滑らせることが可能である。これに伴い、把持部材２０は、操作部２１が接続方向Ａ２において本体１０から最も遠ざかる第３の姿勢Ｐ３（図１１参照。）から、操作部２１が接続方向Ａ２において本体１０に最も近接する第４の姿勢Ｐ４（図１２参照。）へ、またはその逆に、軌道Ｌ１上で往復変位する。
【００４６】
この往復変位の途中で、操作部２１を第３の姿勢Ｐ３と第４の姿勢Ｐ４とのほぼ中間とし、把手２４を本体１０の上面１０Ｂに対してほぼ水平にすると、把持部材２０は、図６に示した第２の姿勢Ｐ２をとる。図６に示した第２の姿勢Ｐ２では、本体１０を天地方向Ｙの正立状態とすると、把手２４が本体１０の上方に位置する。また、操作部２１が前後方向Ｚにおいて本体１０の前方側に位置する。この第２の姿勢Ｐ２で、図８に示したように、把持部材２０を右手で握れば、ローアングル撮影が可能となる。
【００４７】
続いて、図１２および図１３を参照して、把持部材２０の回転軸Ａ３を中心とした回転変位について説明する。図１２に示した第４の姿勢Ｐ４では、把手２４が本体１０の前方に向いている。
【００４８】
そこで、把持部材２０を図１２に示した第４の姿勢Ｐ４として、右手で把手２４を握ったまま手首を捻る。そうすると、図１３に示したように、把持部材２０が回転軸Ａ３の周りに回転し、把手２４が本体１０の後方に向く第５の姿勢Ｐ５となる。第５の姿勢Ｐ５では、操作部２１が前後方向Ｚにおいて本体１０の後方側に位置する。また、操作部２１が接続方向Ａ２において本体１０に最も近接する。
【００４９】
この第５の姿勢Ｐ５で、図７に示したように、把手２４を持つ右手の手首を手前に返し、本体１０を天地方向Ｙの倒立状態とすれば、把持部材２０が本体１０の下方に位置する第１の姿勢Ｐ１となり、ローアングル撮影からハイアングル撮影に切り替えられる。以上の一連の動作は、把持部材２０から手を離したり持ち替えたりすることなく、把手２４を持ったまま手首の動きで容易に行うことが可能である。
【００５０】
このように本実施の形態では、把持部材２０を本体１０に対して、把手２４が本体１０の下方に位置する第１の姿勢Ｐ１と、把手２４が本体１０の上方に位置する第２の姿勢Ｐ２とを含んで変位するようにしている。よって、把持部材２０を持ち替えることなくハイアングル撮影とローアングル撮影とを切り替えることが可能となる。
【００５１】
また、把手２４に操作部２１を設けるようにしたので、使用者が把持部材２０の把手２４を手で握ったまま容易に操作部２１を操作することが可能となり、利便性が向上する。
【００５２】
更に、把持部材２０を閉ループ形状としたので、把持部材２０を手に掛けたときに把持部材２０が落下しにくくなる。
【００５３】
（変形例１）
なお、上記実施の形態では、把持部材２０が、撮像素子１２および画像処理部１３を有する本体１０に接続されている場合について説明した。しかしながら、把持部材２０が接続される本体１０は、撮像素子１２や画像処理部１３などの撮像にかかわる構成要素をもたない部材であることも可能である。例えば、本体１０は、単なるスペーサやマウント変換アダプタなどでもよい。
【００５４】
以上、実施の形態を挙げて本開示を説明したが、本開示は上記実施の形態に限定されるものではなく、種々の変形が可能である。
【００５５】
例えば、上記実施の形態では、把持部材２０が図５および図７に示した第１の姿勢Ｐ１と図６および図８に示した第２の姿勢Ｐ２とをとるものとして説明した。しかしながら、把持部材２０は第１の姿勢Ｐ１および第２の姿勢Ｐ２を含んで連続的（シームレス）に変位可能であり、把持部材２０を第１の姿勢Ｐ１または第２の姿勢Ｐ２以外の任意の姿勢にして撮影に用いることも可能である。このように把持部材２０をフリーアングルに変位可能とすることにより、三脚で固定して撮影する場合に比べて接写や鳥、動物、昆虫などの動く被写体の撮影などが容易になる。
【００５６】
また、例えば、上記実施の形態では、把持部材２０が、把手２４の両端が可動部２３の両端にそれぞれ連結された閉ループ形状を有している場合について説明した。しかしながら、把持部材２０の形状は、閉ループ状に限られず、開ループ状でもよい。例えば、把持部材２０は、把手２４の一端のみが可動部２３に連結され、把手２４の他端と可動部２３とが離間している開ループ状でもよい。
【００５７】
更に、例えば、上記実施の形態では、軌道Ｌ１が円弧であり、受け部材６０の受容部６２がほぼ水平に設けられている場合について説明した。しかしながら、軌道Ｌ１を例えば斜め直線状とし、可動部２３と把手２４とを、三角形の三辺のうちの少なくとも二辺をなす形状とすることも可能である。その場合、受け部材６０の受容部６２も斜め方向に設けることが好ましい。
【００５８】
加えて、例えば、上記実施の形態では、把持部材２０にガイド溝７１が設けられ、受け部材６０にガイド突起７２および着脱ボタン７３が設けられている場合について説明した。しかしながら、受け部材６０にガイド溝７１が設けられ、把持部材２０にガイド突起７２および着脱ボタン７３が設けられていてもよい。
【００５９】
更にまた、例えば、上記実施の形態では取付部材５０および受け部材６０が本体１０とは分離可能である場合について説明した。しかしながら、受け部材６０は本体１０に一体化されていることも可能である。
【００６０】
加えてまた、例えば、上記実施の形態ではレンズ３０が交換式である場合について説明したが、レンズ３０は本体１０と一体型でもよい。その場合、図１に示した本体１０のマウント部１１は省略可能である。
【００６１】
更にまた、例えば、上記実施の形態では、本体１０の上面１０Ｂに把持部材２０が接続されており、接続方向Ａ２が天地方向Ｙと一致している場合について説明した。しかしながら、把持部材２０は、上面１０Ｂに限られず、下面１０Ｃ、右側面１０Ｄまたは左側面１０Ｅに接続することも可能である。その場合には、接続方向Ａ２と天地方向Ｙとは異なることになる。また、把持部材２０を上面１０Ｂ以外の面に接続した場合には、上面１０Ｂに他のアクセサリーまたはアタッチメントを接続することも可能である。
【００６２】
加えてまた、例えば、上記実施の形態では、本体１０で撮像された画像をビューワー４０で表示するようにした場合について説明したが、ビューワー４０に代えてスマートフォン（多機能携帯電話）のディスプレイやパーソナルコンピュータのモニタを用いることも可能である。
【００６３】
更にまた、例えば、上記実施の形態において説明した各構成要素の形状、寸法および材料などは限定されるものではなく、他の形状、寸法および材料としてもよい。
【００６４】
加えてまた、例えば、上記実施の形態では、撮像装置１の構成を具体的に挙げて説明したが、全ての構成要素を備える必要はなく、また、他の構成要素を更に備えていてもよい。
【００６５】
更にまた、例えば、上記実施の形態ではシステムアップを前提としたデジタルカメラを例として説明した。しかしながら、本開示は、システムアップを前提としていない、本体１０に付属したディスプレイを備えた撮像装置にも適用可能である。
【００６６】
なお、本明細書に記載された効果はあくまで例示であって限定されるものではなく、また他の効果があってもよい。
【００６７】
本技術は以下のような構成を取ることも可能である。
（１）
特定部を有する把持部材と、
前記把持部材が変位可能に接続される本体と
を備え、
前記把持部材は前記本体に対し、前記特定部が前記本体の下方に位置する第１の姿勢と、前記特定部が前記本体の上方に位置する第２の姿勢とを含んで変位する
撮像装置。
（２）
前記特定部は使用者が把持する把手である
前記（１）記載の撮像装置。
（３）
前記特定部は操作部を含む
前記（１）または（２）記載の撮像装置。
（４）
前記第１の姿勢において前記操作部が前記本体に最も近接する
前記（３）記載の撮像装置。
（５）
前記把持部材は前記本体に対して着脱自在に接続される
前記（１）ないし（４）のいずれかに記載の撮像装置。
（６）
前記把持部材は、閉ループ形状を有している
前記（１）ないし（５）のいずれかに記載の撮像装置。
（７）
前記把持部材は前記本体に対し、前記把持部材の前記本体への接続方向に平行な回転軸を中心とした回転変位が可能である
前記（２）ないし（６）のいずれかに記載の撮像装置。
（８）
前記本体は撮像素子を有し、
前記把持部材は前記本体に対し、前記撮像素子の向く方向および前記撮像素子の短辺方向を含む平面内の変位が可能である
前記（７）載の撮像装置。
（９）
前記把持部材は前記本体に対し、前記撮像素子の向く方向および前記撮像素子の短辺方向を含む平面内の軌道上の往復変位が可能である
前記（７）または（８）記載の撮像装置。
（１０）
前記軌道は、円弧である
前記（９）記載の撮像装置。
（１１）
前記把持部材は、前記軌道の形状を有する可動部を更に有し、
前記把手は前記可動部に連結されている
前記（９）または（１０）記載の撮像装置。
（１２）
前記操作部は、前記把手の一端部に設けられている
前記（３）ないし（１１）のいずれかに記載の撮像装置。
（１３）
前記操作部は、前記本体と無線接続可能である
前記（３）ないし（１２）のいずれかに記載の撮像装置。
（１４）
前記本体に対して着脱可能な取付部材と、
前記取付部材に対して前記回転軸を中心として回転可能に連結され、前記把持部材を保持して前記取付部材に対して前記回転軸を中心として回転可能な受け部材と
を更に備えた前記（９）ないし（１３）のいずれかに記載の撮像装置。
（１５）
前記把持部材は、前記軌道を規定するガイド溝および前記ガイド溝に嵌り込むガイド突起のうちの一方を有し、
前記受け部材は、前記ガイド溝および前記ガイド突起のうちの他方を有する
前記（１４）記載の撮像装置。
（１６）
表示部材を更に備えた
前記（１）ないし（１５）のいずれかに記載の撮像装置。
（１７）
前記表示部材は、前記本体と無線接続可能である
前記（１６）記載の撮像装置。
（１８）
前記本体は、撮像素子および画像処理部を有する
前記（１）ないし（１７）のいずれかに記載の撮像装置。
（１９）
撮像装置の本体に変位可能に接続されると共に特定部を含み、
前記本体に対し、前記特定部が前記本体の下方に位置する第１の姿勢と、前記特定部が前記本体の上方に位置する第２の姿勢とを含んで変位する
把持部材。
【符号の説明】
【００６８】
１…撮像装置、１０…本体、１０Ａ…前面、１０Ｂ…上面、ねじ孔１０Ｆ、１１…マウント部、１２…撮像素子、１３…画像処理部、２０…把持部材、２１…操作部、２２…通信部、２３…可動部、２４…把手、３０…レンズ、４０…ビューワー、４１…通信部、４２…表示部、５０…取付部材、６０…受け部材、７１…ガイド溝、７２…ガイド突起、７３…着脱ボタン、Ａ１…光軸、Ａ２…接続方向、Ａ３…回転軸、Ｙ…天地方向、Ｚ…前後方向。
【図１】
2015207886.tif 000003
【図２】
2015207886.tif 000004
【図３】
2015207886.tif 000005
【図４】
2015207886.tif 000006
【図５】
2015207886.tif 000007
【図６】
2015207886.tif 000008
【図７】
2015207886.tif 000009
【図８】
2015207886.tif 000010
【図９】
2015207886.tif 000011
【図１０】
2015207886.tif 000012
【図１１】
2015207886.tif 000013
【図１２】
2015207886.tif 000014
【図１３】
2015207886.tif 000015